(57)【要約】  表示効果を高めること。本発明の電子機器では、本体ケース（５）の操作面（４）に配置された操作体（６）は、操作面（４）に設けた貫通孔（７）を、後方から前面側へと貫通した操作部（９）と、この操作部（９）を構成するツマミ（１１）の外周面と貫通孔（７）の内周面とその間に配置された光反射部（１２）と、この光反射部（１２）よりも後方側に配置された発光部（１３）をと有し、ツマミ（１１）の外周面と光反射部（１２）の内周面との間に光導空間（１７）を形成するとともに、この光反射部（１２）の前面は、本体ケース（５）の操作面（４）よりも後方に配置した。
2012042848.tif 000002
【特許請求の範囲】
【請求項１】
本体ケースと、この本体ケースの前面側の操作面に配置された操作体とを備える電子機器であって、
前記操作体は、前記本体ケースの操作面に設けた貫通孔をその操作面の後方から前面側へと貫通した操作部と、この操作部の外周面と前記貫通孔内周面と、その間に配置された光反射部と、この光反射部よりも後方側に配置された発光部を有し、
前記操作体は、前記操作部の外周面と前記光反射部の内周面との間に光導空間を形成する、
電子機器。
【請求項２】
前記光反射部の前面は、前記本体ケースの操作面よりも後方に配置した、
請求項１に記載の電子機器。
【請求項３】
貫通孔を有する操作面を有し、かつその内部には前記貫通孔から外部へ延出するシャフトと、光を外部へ射出する発光部とを有する本体ケースと、
前記シャフトの先端に支持され、前記本体ケースの内部から前記貫通孔を介して前記操作面よりも前記本体ケースの前方に少なくとも一部が延出する操作体と、
前記操作体の外周面と前記貫通孔を形成する前記本体ケースの内周面との間であって、かつ前記操作面よりも前記本体ケースの後方で前記本体ケースの内周面に沿って設けられ、前記発光部から射出された光を反射して前記操作体をその後方から前記貫通孔を介して照らす光反射部と、を備える電子機器。
【発明の詳細な説明】
【技術分野】
【０００１】
本発明は、電子機器に関するものである。
【背景技術】
【０００２】
従来の構成は、前面側が操作面となった本体ケースとこの本体ケース内に設けられた再生機とこの再生機の操作をすべく、上記本体ケースの操作面に配置された操作体とを備えた構成となっていた。【０００３】
また、上記操作体は、上記本体ケースの操作面に設けた貫通孔をその操作面の後方から前面側へと貫通した操作部とこの後方側に配置された発光部を有する構成となっていた。なお、上記従来の構成に類似する構成を開示する先行文献としては、下記特許文献１が存在する。
【先行技術文献】
【特許文献】
【０００４】
【特許文献１】日本国特開２００９−２９５３５７号公報
【発明の概要】
【発明が解決しようとする課題】
【０００５】
上記従来例においては、操作部の後方に配置された発光部によりこの操作部自体を発光させることで、暗い時でも操作部の位置を確認できやすくしている。また操作部を発光させることで表示効果を高めるようにもしている。【０００６】
しかしながら、上記従来例においては表示効果が低くなってしまうことも多い。【０００７】
すなわち前記操作部は、実際に手で操作する部分であり、この操作時に汚れてしまうとその表示効果が低くなってしまうものであった。【０００８】
そこで本発明は、表示効果を高めることを目的とするものである。
【課題を解決するための手段】
【０００９】
本発明の一態様として、電子機器は、前面側が操作面となった本体ケースと、この本体ケース内に設けられた再生機と、この再生機の操作をすべく、前記本体ケースの操作面に配置された操作体とを備え、前記操作体は、前記本体ケースの操作面に設けた貫通孔をその操作面の後方から前面側へと貫通した操作部と、この操作部の外周面と前記貫通孔内周面とその間に配置された光反射部と、この光反射部よりも後方側に配置された発光部を有し、前記操作部の外周面と光反射部の内周面との間に光導空間を形成するとともに、この光反射部の前面は、前記本体ケースの操作面よりも後方に配置する。
【発明の効果】
【００１０】
以上のように本発明の電子機器は、表示効果を高めることができる。【００１１】
すなわち、本発明の電子機器は、操作部自体を発光させるものではなく、この操作部の外周に配置した光反射部を発光状態とすることで、操作部の位置を確認できる。そのため、本発明の電子機器は、操作部がその操作時に汚れた場合でも、光反射部の発光状態が劣化することはなく、この結果として表示効果を高めることができるものである。【００１２】
また、本発明の電子機器における光反射部は、その前面を前記本体ケースの操作面よりも後方に配置したものであるので、前記操作部の操作時にこの光反射部が汚れることはなく、その点からも表示効果を高めることができるものとなる。
【図面の簡単な説明】
【００１３】
【図１】本発明の一実施形態にかかる車載用電子機器を車内に設置した状態を示す斜視図
【図２】同車載用電子機器の正面図
【図３】同車載用電子機器の斜視図
【図４】同車載用電子機器の分解斜視図
【図５】同車載用電子機器の正面図
【図６】図５のＡ−Ａ断面図
【図７】図５のＢ−Ｂ断面図
【図８】図５のＣ−Ｃ断面図
【発明を実施するための形態】
【００１４】
本発明の電子機器の一実施形態にかかる車載用電子機器３について説明する。図１において、自動車の車内１の前方にハンドル２が配置されており、このハンドル２の左側には車載用電子機器３が配置されている。この車載用電子機器３は、図２から図４に示すごとく、前面側が操作面４となった箱状の本体ケース５と、この本体ケース５内に設けられた再生機（例えば、ラジオ受信機やテレビ受信機やディスクの再生機などであるが、これら  は一般的なものであるので図示せず）を有する。そして、この再生機の操作をすべく、本体ケースの操作面に配置された操作体６、６ａ、６ｂとを備えている。この操作体６は、後方に押すと電源が入り、時計方向に回動させると音量を変化させることができるものである。また、操作体６ａは、ラジオ受信機のチューニングを行うことができるものである。さらに操作体６ｂは、モード切替を行うことができるものである。
【００１５】
本実施形態においては、特に操作体６を図４から図８のような構成とした。
【００１６】
すなわち、この操作体６が配置された本体ケース５の操作面４の部分には、図４に示すごとく、この操作面４の後方から前面側へと貫通した貫通孔７が形成されている。そして、この貫通孔７の部分には、この貫通孔７を後方から前面側へと貫通した操作部９が配置されている。
【００１７】
この操作部９は、貫通孔７を後方から前面側へと貫通したシャフト１０と、このシャフト１０の先端側に装着されたツマミ１１とにより構成されている。また、この操作部９を構成するツマミ１１の外周面と貫通孔７の内周面との間には、リング状の光反射部１２が配置されている。この光反射部１２は、リング状の合成樹脂製機体の外周にメッキを施して形成したものである。メッキにより光反射部１２の表面は、例えば銀色の光の反射面となっている。また、この光反射部１２よりも後方側の本体ケース５内には、発光部１３が配置されている。この発光部１３は、図７に示すごとく基板１４の前面側に配置された発光素子１５と、この発光素子１５の前方側に配置された光誘導板１６により構成されている。
【００１８】
さて、このような構成において、図６、図８に示すように、操作部９を構成するツマミ１１の外周面と光反射部１２の内周面との間には、光導空間１７が形成されている。その結果、発光部１３の光は、この光導空間１７を通過して、本体ケース５の操作面４の前方側へと導き出されることになる。この時、光反射部１２によって反射した光は、ツマミ１１を、その後方側から前方側へと照射する。これによりツマミ１１の存在を明確に確認することができるようになる。
【００１９】
以上のごとく、本実施の形態に係る車載用電子機器３は、貫通孔７を有する操作面４を有し、かつその内部には貫通孔７から外部へ延出するシャフト１０と、光を外部へ射出する発光部１３とを有する本体ケース５と、シャフト１０の先端に支持され、本体ケース５の内部から貫通孔７を介して操作面４よりも本体ケース５の前方に少なくとも一部が延出する操作体６と、操作体６の外周面と貫通孔７を形成する本体ケース５の内周面との間であって、かつ操作面４よりも本体ケース５の後方で本体ケース５の内周面に沿って設けられ、発光部１３から射出された光を反射して操作体６をその後方から貫通孔７を介して照らす光反射部１２と、を備える。この構成により、本実施の形態に係る車載用電子機器３では、操作体６の一部を構成するツマミ１１の視認性が向上する。また、この構成により、本実施の形態に係る車載用電子機器３では、ツマミ１１がその操作時に汚れても、操作面４よりも後方に位置する光反射部１２は汚れることがない。そのため、光反射部１２は、ツマミ１１の操作時であっても、発光部１３から射出された光を良好に反射し、操作体６をその後方から貫通孔７を介して照らす。したがって、本実施の形態に係る車載用電子機器３では、光反射部１２の発光状態が劣化することはなく、この結果として表示効果を高めることができる。
【００２０】
以上のごとく、本実施形態にかかる車載用電子機器３は、操作部９を構成するツマミ１１を発光させるものではなく、このツマミ１１の外周に配置した光反射部１２を発光状態とすることで、ツマミ１１の位置を確認できるようにしたものである。そのため、本実施形態にかかる車載用電子機器３は、ツマミ１１がその操作時に汚れた場合でも、光反射部１２の発光状態が劣化することはなく、この結果として表示効果を高めることができるものである。
【００２１】
また、本実施形態における光反射部１２は、図６〜図８から理解されるように、その前面を本体ケース５の操作面４よりも後方に配置したものである。そのため、ツマミ１１の操作時にこの光反射部１２が汚れることはなく、その点からも表示効果を高めることができるものとなる。
【００２２】
本発明を詳細にまた特定の実施態様を参照して説明したが、本発明の精神と範囲を逸脱することなく様々な変更や修正を加えることができることは当業者にとって明らかである。
【００２３】
本出願は、２０１０年９月２９日出願の日本特許出願（特願２０１０−２１８１７４）に基づくものであり、その内容はここに参照として取り込まれる。
【産業上の利用可能性】
【００２４】
以上のように、本発明の電子機器は、操作部自体を発光させるものではなく、この操作部の外周に配置した光反射部を発光状態とすることで、操作部の位置を確認できるようにしたものであり、操作部がその操作時に汚れた場合でも、光反射部の発光状態が劣化することはなく、この結果として表示効果を高めることができるものである。【００２５】
また、本発明の電子機器における光反射部は、その前面を本体ケースの操作面よりも後方に配置したものであるので、操作部の操作時にこの光反射部が汚れることはなく、その点からも表示効果を高めることができるものとなる。【００２６】
したがって、本発明の電子機器は、車載用電子機器として極めて有用なものとなる。
【符号の説明】
【００２７】
１  車内
２  ハンドル
３  車載用電子機器
４  操作面
５  本体ケース
６  操作体
７  貫通孔
９  操作部
１０  シャフト
１１  ツマミ
１２  光反射部
１３  発光部
１４  基板
１５  発光素子
１６  光誘導板
１７  光導空間
【図１】
2012042848.tif 000003
【図２】
2012042848.tif 000004
【図３】
2012042848.tif 000005
【図４】
2012042848.tif 000006
【図５】
2012042848.tif 000007
【図６】
2012042848.tif 000008
【図７】
2012042848.tif 000009
【図８】
2012042848.tif 000010
【国際調査報告】
2012042848.tif 000011
2012042848.tif 000012